(57)【要約】      （修正有）【課題】本来の競技盤の低廉化と、紙箱等を用いる販売品の消費の増大とを兼ねた相乗効果での両者の世界的頒布を図る。【解決手段】合同な小正方形を１桁の整数ｎ個ずつに縦横に密に並べて得る１個の合成正方形をなす「ｎ競技盤」上に色駒を全面に並べる競技のｎ競技盤を作成する目的で、それを適当に等分割等した盤と色駒の１部分等とを共に市販のティッシュペーパーの箱の空所等の１部に印刷し、その購入者が更にそれらの物品の他の部分を購入することでｎ競技盤等を構成し楽しめるように分割の、ｎ競技盤の主として単位部分で構成の、単位競技盤とその単数又は複数の色駒等との１式を印刷した箱等の形態。【選択図】図１
0003130210.tif 000002
【実用新案登録請求の範囲】
【請求項１】
小正方形を縦横にｎ個ずつ密に正方形状に並べた全ｎ２個の小正方形全体の図形を「ｎ方眼」と呼び、これを「ｎ競技盤」となす場合に、その中の適当に相互に隣接しあう小正方形のｎ個の周囲を連続一周する他の縦横線よりも太い線で区切り特定区画とした中に、互いに異なるｎ色の色駒に１からｎまでの番号を付してそれらを色番号とし、それらを地上の各階層の代表として小正方形ｎ個を置く事で特定区画の１国を構成させ、そのｎ個の国の特定区画分でｎ競技盤を完成させるのに、その盤面上のｎ特定区画内に小正方形状の色駒のｎ組を１人または数人で置き並べる事で、ｎ競技盤を地球と見立てたその中にｎか国を仮想創設する競技において、そのｎか国分の色駒のｎ組全体で正方形をなすｎか国の区画を明確に記載したｎ競技盤面上の各国にｎ種の色駒の１個づつを、均等に各国内の適当な位置に配置する競技を含めて、ｎ競技盤上のどの縦方向にもどの横方向にもｎ種の色駒１個ずつだけが配置される結果を最初に完成させる条件をも付けた競技に用いるような、ｎ競技盤が印刷された紙面はｎ競技盤紙と呼ぶ場合があり、別名として「ナフピーゲーム」、「ナッピーゲーム］又は「ｎゲーム」、又は「ｎ競技盤と色駒等との１式」、略して「色駒競技盤」等とする競技に用いる色駒と色駒番号について、時には特殊な形態とする場合もあるが、ｎ競技盤の基本正方形等の１国である、通常は正方形をなす特定区画部分等を単位部分として、ある程度の固さを保つ紙等で製作した箱を用いて当該自社製品を販売する会社等が、その箱の表面とか裏面に、予め上の特定区画の単位部分や色駒のｎ個分等やを、例えば、ｎ＝９個分の全色の色駒を印刷しておき、その商品をｎ個分購入すればｎ競技盤が完成するようにした、購入者の意志で競技盤を製作してもらう形態の、販売するティッシュペーパーの紙製の箱等の内外の印刷できるような場所に印刷した、材料費を印刷代等のみの増加とさせた、ｎ競技盤紙と色駒等との１式を、１特定区画部分ごと等に分解しての部分を印刷した箱等の、ｎ競技盤の主として単位部分で構成の、単位競技盤とその単数又は複数の色駒等との１式を印刷した箱等の形態。
【請求項２】
前請求項１での既存発売の物品等の箱の表面や箱裏等の、印刷できるような場所に印刷するだけではなく、実質的に箱の紙よりも重量ある固くて１面が正方形の適当な厚さの角柱を色駒台としてそのｎ個分等を入れ、これに、上の箱等にかに印刷の色駒面相当の表や裏の部分を、購入者が各自に切り取って、それらを貼付等した結果を色駒として使用するようにした、ｎ競技盤の主として単位部分で構成の、単位競技盤とその単数又は複数の色駒等との１式を印刷した箱等の形態。
【請求項３】
前請求項１での既存発売の物品等の販売の前から、箱の表か裏かに印刷してある色駒や単位競技盤とが、切り取りやすく箱の紙面上に適当な深さの切り込み等を入れた箱を使用した、ｎ競技盤の主として単位部分で構成の、単位競技盤とその単数又は複数の色駒等との１式を印刷した箱等の形態。
【請求項４】
上記の販売用の箱の表等に印刷された色駒競技盤と個々の色駒等の全ての印刷面の内の後者部分の裏側に、シリコン紙を片面に貼ったままの両面粘着紙やテープ等を貼ってあるようにして、色駒の表裏の貼り合わせが簡単にできるように設定した、ｎ競技盤の主として単位部分で構成の、単位競技盤とその単数又は複数の色駒等との１式を印刷した箱等の形態。
【請求項５】
本考案を実施するにあたり、幼児の興味を直ちに喚起させる目的では、販売物品の箱に印刷する色駒の種類を、最小のｎ＝３とする場合では、３種の色駒の組の３組分を印刷することでも、十分な遊びが期待できるようにした、ｎ競技盤の主として単位部分で構成の、単位競技盤とその単数又は複数の色駒等との１式を印刷した箱等の形態。
【請求項６】
本考案の実施に当り、最小費用での経費の節約の為に、色駒の表裏に使用する色インキを全て象徴的にわずかに使用するか、全く使用せずに、黒色等の単色だけで、代りに、色番号を明確に表示するように、箱使用業者の経済性を優先した、ｎ競技盤の主として単位部分で構成の、単位競技盤とその単数又は複数の色駒等との１式を印刷した箱等の形態。
【請求項７】
前出の各請求項のｎ個の単位競技盤を、当該物品の箱の購入者が構成し完成したｎ競技盤やｎゲームが実施できるｎ種の各ｎ個の色駒数以上に相当する色駒が、以後の同様な上記の物品等を購入した場合でも、さらに完成させるようにする場合には、当該箱の裏表に印刷の色駒部分は予備として保存しておく他には使用できないので、購入者が自分で色駒台に貼付するか裏表２種の色駒の裏両面を貼り合わせるかは問わずでの、ｎゲームのｎよりも大きな整数ＮでのＮゲームの一式を完成させる形態の、ｎ競技盤紙と色駒のｎ２個等との１式を、分解したようにして発売された箱等を購入したその箱の切り取りの余り部分等からも、購入者がＮ競技盤を再構成できるように、その余りの部分からも必要な（Ｎ２−ｎ２）個分の１部だけでも切り取れるように、それらの駒の大きさと同一の大きさで切り取れるように、別な色の色駒を使用することになる新規の色駒の余分な（Ｎ−ｎ）種の色を、購入者が自分で塗れるように、箱の余分な一角に、形大きさだけの線を余分に印刷してあるようにした、Ｎ競技盤として必要な色駒等の白紙の予備駒の部分も併設した、ｎ競技盤の主として単位部分で構成の、単位競技盤とその単数又は複数の色駒等との１式を印刷した箱等の形態。
【請求項８】
前出の各請求項に関する特別な印刷をなしたティッシュペーパーの箱は、他のそれまでの同種の箱とは印刷体系が異なるので、従来品の市販の４、５箱を１梱包とした製品箱の中に当該の１箱だけを混入させる様に、特殊な印刷体系と合成梱包体系を持たせ、当該考案実施印刷箱を別個に付帯させるようにした、ｎ競技盤の主として単位部分で構成の、単位競技盤とその単数又は複数の色駒等との１式を印刷した箱等の形態。
【考案の詳細な説明】
【技術分野】
【０００１】  本考案は、ｎ競技盤と色駒との印刷技術とティッシュペーパーの様な適当な大きさの箱単位で発売する製品技術と販売促進向上目的とを合体させた印刷物の分野に関する。
【背景技術】
【０００２】  長期間の手指接触でも色落ちしない単色印刷またはカラー印刷の技術とティッシュペーパーの様な収容箱の処理でも無害とされる紙製等の箱の製作技術を要する。【０００３】  本考案は、競技盤としての形態に付いては、本考案者が考案した非特許文献１や同２の考案があるだけであり、ティッシュペーパー等の箱を競技盤に転用する事例は過去にはなかった技術である。【０００４】
【非特許文献１】  実用新案登録証登録第３１２３６７５号（第１図）  考案者は本実用新案登録出願者兼本考案者
【非特許文献２】  平成１８年８月２４日実用新案登録願提出、同月２８日手続補正書提出  考案者は本実用新案登録出願者兼本考案者
【考案の開示】
【考案が解決しようとする課題】
【０００５】  以上に述べたように、本考案は本考案者の他には過去には存在しない。【０００６】  従って、上の非特許文献１での高級感の打破と非特許文献２での甘味固形食品体以外の箱への考案が、その箱の小さすぎる所が隘路となっていた。
【課題を解決するための手段】
【０００７】  上に述べた新規の非特許文献１と同２との考案の実用内容の延長と改良と普及の目的を達成するために、後者の甘味固形食品体の代りにティッシュペーパーの箱を用いるとする。【０００８】  本考案では、過去の箱とは異なり面積が大きいので、色駒や特定区画の単位部を大きくすることが出来て、十分な競技感覚が楽しみ得る。
【考案の効果】
【０００９】  以下、本考案の実施の形態を図１〜図５に基づいて説明する。【００１０】  図１（ａ）には、本考案を実施したティッシュペーパーの紙製の箱１の底面２を上側にし、手前側に片方の長い側面を逆さにした状態を見せているが、底面２の右側の太い線で描かれている菱形状に見える全体は単位の特定区画部分の３ゲーム方眼盤１１で、その上側下側近くには３ゲーム説明部１０、１２が印刷してある。【００１１】  図１（ａ）の手前側の横長面の右方半分位には色駒１６の、色番号１〜９の小正方形のそれぞれに色番号を左上と右下とに記載してあり、それらの上側と下側には、それぞれ色駒説明部１３、１３′が、それら全体の右下隅には「色駒説明部１」１５が印刷してある。【００１２】  図１（ａ）の手前側の面の右方半分位の色駒１６については、色番号１〜９の代りに、小児用としての、３ゲームだけでも楽しめる様にするために、色番号１〜３を３組、又は色番号４〜６を３組、あるいは、色番号７〜９を３組との様な、３色だけの組の同じ３組を印刷する場合もある。【００１３】  図１（ｂ）は、図１（ａ）の横に長い１辺を軸として１８０°回転させてティッシュペーパーの箱１を正置した状態であり、箱表面１８は底面２と平行で真裏に当り、中央にティッシュ取出口１９が見えるが、その面には業者が製品名１７、１７′等を効果的に印刷してある。【００１４】  図１（ｂ）の箱１の手前側の側面には、その右半分位には９個の色駒裏面２１が印刷してあり、その説明が「色駒説明部２」２０に印刷してあり、これらの上側と下側には色駒裏面２１の説明文２３、２３′が印刷してある。【００１５】  図１（ｂ）の箱１の手前側の側面の左半分位には、当該箱１を最小４個又は９個購入した者が、そこに印刷してある３ゲーム方眼盤１１を４枚接続して６ゲーム盤２６を作成できることと、同じく９個購入して９枚の接続では９ゲーム盤２４が構成できる見本が提示してある。【００１６】  図１（ａ）、（ｂ）の両者の左端と見えない右端の小さな両側面には、ｎ競技盤をｎより大きな整数Ｎ使用のＮ競技盤に拡大して楽しもうとする人たちのために、色駒１６と合同な正方形の升３９を、白生地面上に、縦横の切断線を印刷しておく事で、（Ｎ２−ｎ２）個の補充駒の作成用として、不足の、ｎ競技盤付属のｎ種の色駒を（Ｎ−ｎ）個ずつ余分に集めると共に、その他余分の新規の駒の色種（Ｎ−ｎ）種をＮ個分ずつを得るように、当該箱を購入し、ｎ種の他の色種を決めて新規色種を塗り自作し、かつ、Ｎ競技盤を増設することで、Ｎゲームが楽しめるように、余分な駒型線３９が、適当な線で印刷してある。【００１７】  同様に、箱外面か箱内面等かに、上の競技盤の簡単な利用法と、連続購入によってｎ競技盤やＮ競技盤に成長させ得ること等の説明書きや図面等を明確に記載し、かつ、計画的な発売期間等をも、必要であれば記載しておく。【００１８】  最後に、色駒使用の本来の既成のｎ競技盤と、手作りでつなぎ合わせて構成した競技盤とを持ち寄り、上記の箱入りティッシュペーパー等製作・販売会社による色駒数ｎ２を用いたナッピーゲーム大会に参加しての、そこでの、最高位平和地球創設者には、何かの特典を与えられるようにする場合も知名度向上目的で考��られる。
【産業上の利用可能性】
【００１９】  上述したように、本考案のｎ競技盤の主として単位部分で構成の、単位競技盤とその単数又は複数の色駒等との１式を印刷した箱等の形態を実施することで、当該製作生産販売会社の売り上げの格段の増加は目に見えて想像するに余りがあるから、産業上の利用の可能性は、絶大である、と断言できる。
【図面の簡単な説明】
【００２０】
【図１】  本考案の９ゲームの単位の３ゲーム競技盤と色駒の構成前の状況を印刷したティッシュペーパー箱の底面側（ａ）と箱表面側（ｂ）の鳥瞰図。
【図２】  前図１のティッシュペーパー箱に印刷の本考案の貼り合わせ等する色駒の印刷したままの側面部の正置状態の色駒群と「色駒説明部１」（ｃ）と、同前側面部と対の側面部の色駒裏面群と「色駒説明部２」（ｄ）とを簡略化して示した平面図。
【図３】  色駒と色駒裏面を両面に貼付するための色駒台
【図４】  色駒９種群（ａ）と色駒裏面９種群（ｂ）の１例の拡大した平面図
【図５】  前図色駒９種群（ａ）を幼児向けの組み合わせにした場合の１例の３通り（ａ）、（ｂ）、（ｃ）のそれぞれの、別個の箱に印刷する例をを示した拡大図。
【符号の説明】
【００２１】１  箱
２  底面
３  商品名
４  製造所発売元名等
５  バーコード
６  縦側面貼付面
７  商品名
８  キャッチフレーズ等
９  糊付部端部
１０  ３ゲーム説明部
１１  ３ゲーム方眼盤
１２  ３ゲーム説明部
１３  色駒説明部
１３′  色駒説明部
１４  色駒９色面部外枠
１５  色駒説明部１
１６  色駒
１７  商品名
１７′  商品名
１８  箱表面
１９  ティッシュ取出口
２０  色駒説明部２
２１  色駒裏面
２２  色駒群外枠
２３  説明文
２３′  説明文
２４  ９ゲーム盤
２５  ９ゲーム盤説明文
２６  ６ゲーム盤
２７  ６ゲーム盤説明文
３１  色駒台
３２  ９ゲーム用色駒色番号
３３  ９ゲーム用色駒色
３４  将棋用駒名
３５  碁石用白黒円
３６  色駒裏面
３７  チェス用駒名
３８  チェス用駒邦語名
３９  駒型線
【図１】
0003130210.tif 000003
【図２】
0003130210.tif 000004
【図３】
0003130210.tif 000005
【図４】
0003130210.tif 000006
【図５】
0003130210.tif 000007
【手続補正書】
【提出日】平成18年11月24日(2006.11.24)
【手続補正１】
【補正対象書類名】実用新案登録請求の範囲
【補正対象項目名】全文
【補正方法】変更
【補正の内容】
【実用新案登録請求の範囲】
【請求項１】
合同な小正方形群の升を縦横にｎ個ずつ密に別な正方形状に並
0003130210.tif 000008
の「ｎ競技盤」となすのに、その中の適当に相互に隣接しあう小正方形ｎ個の周囲を連続して一周する太い境界線で区分される小正方形の集合の、通常は正方形を特定区画の１国とみなすとして、そのｎ個の国の特定区画でｎ競技盤を完成させてあり、その盤面上に上の升の大きさよりも大きくない小正方形状の全て色違いの色駒の１個ずつのｎ個を各国内に並べ１国として、ｎか国を仮想創設する上の名の競技において、別に、全てが色違いのｎ種の色のｎ個が、ｎ競技盤上のどの縦方向にもどの横方向にも配置される様にするとの条件をも付けて、これを「ナフピー（ゲーム）、又はナッピー（ゲーム）、又はｎゲーム」、又は「ｎ競技盤と色駒類との１式」、略して「色駒競技盤」、更に略して「色駒競技」とする競技盤を、紙製の外装箱入り商品の販売促進目的で、１個の特定区画や数個分やら対応する数個の色駒分をその箱の内外や表裏の面部分にか別紙類かに印刷し、あるいは、必要ならラベル状の色駒集合体を特定区画の単位競技盤と共に一括し１組として作成できるように輪郭に予め切り込みを入れ、両手指で容易に箱から分離できるようにし、購買者がこの紙製箱入り商品を多数購入した時点でｎ競技盤が完成できるようにした、ｎ競技の単位特定区画部と対応升数以上の色駒相等類とを、販売商品外装箱類に分散印刷した部分の輪郭に切り込みを入れ容易に箱から分離できるようにした外装の箱
【手続補正２】
【補正対象書類名】明細書
【補正対象項目名】全文
【補正方法】変更
【補正の内容】
【考案の詳細な説明】
【技術分野】
【０００１】従来の個人や少人数でのゲームは、本考案者が、既に実用新案登録証を得た（非特許文献１参照）同種競技名を用いた考案を進化させ、ｎ競技盤の存在を対応商品箱購入で知った個人が、より高度のゲームへとの渇望により、当該物品箱の購買の促進と上の考案の実効により高度の競技が構成・実現できるようにした箱類が本考案である。【０００２】従って、本考案では、ｎ競技盤と色駒との印刷技術と販売外装箱類の内外側に使用する印刷インキ類や箱類には、処理の上でも、無害とされる紙製等の箱の製作技術を要する。【０００３】
【非特許文献１】              実用新案登録証登録第３１２３６７５号（第１図）  考案者は本実用新案登録出願者兼本考案者
【非特許文献２】              平成１８年８月２４日実用新案登録願、同年１１月２０補正書提出
【考案の開示】
【考案が解決しようとする課題】
【０００４】              本考案は本考案者の他には過去には存在しない。【０００５】              従って、上の非特許文献１での高級感から庶民的な商品販売外装箱からのｎゲームを簡単に楽しめる外装箱への考案が、その箱の小さすぎる所が隘路となっていた。
【課題を解決するための手段】
【０００６】              上に述べた新規の非特許文献１と同２との考案の実用内容の延長と改良と普及の目的を達成するために、一般的な販売外装箱を用いるとする。【０００７】              本考案では、過去の他の商品販売外装箱の存在が主体なので、他社との連携が課題となる。
【考案の効果】
【０００８】              以下、本考案の実施の形状を図１〜図５に基づいて説明する。【０００９】              図１（ａ）に１例として、本考案を実施した紙製の既成販売外装の箱１の底面２を上側にした図は、手前側の横に長い側面を逆さにした状態を示してあり、箱１の底面２の右側の太い線で描かれている菱形状の３ゲーム方眼盤外枠３２の中は単位の特定区画部分の３ゲーム方眼盤１１で、その直上側と直下側には３ゲーム説明文１０と同１２が印刷してあるとともに、その外周の太線部分には、箱１から容易に両手指での分離ができるような切り込みが入れてあるが、図面上には、目に見えないこの切り込み線を記入できないので、記載はしてない。【００１０】              図１（ａ）の見掛けの上面の底面２とその手前側の横長面との両者左方半分位には、外装箱販売目的の製品の商品名３と同７及び製造所発売元名等４や、キャッチフレーズ８等がまとめて記載されてあるが、これは１例としての印刷状況を示している。【００１１】図１（ａ）の手前側の横長面の右方側に所在の色駒９色面部外枠１４の右下側部隅には色駒説明部１５が印刷してあり、その色駒４０のそれぞれに色番号１６を左上と右下とに記載してあり、この外枠１４の直上側と直下側には、それぞれ色駒説明文１３、１３′が印刷してあるとともに、色駒４０の個々の周辺区切り線には、両手指使用で容易にそれぞれが分離できるような切り込みが入れてあり、色駒の作成が楽にしてある。【００１２】              図１（ａ）の手前鉛直面の右方半分位の色駒４０については、色番号１６が１〜９の代りに、小児用としての、図５の（ａ）、（ｂ）、（ｃ）のように、３ゲームだけでも、子供向けに楽しめる様にするために、色番号１６の９種の中の、１〜３を３組、又は４〜６を３組、あるいは、７〜９を３組との様な、色番号１６の３種３色だけの組の同じ３組ずつだけを印刷する場合もある。【００１３】              図１（ｂ）には、図１（ａ）の横に長い１辺を軸として１８０°回転させて箱１を正置した、表面の上面が上側に置かれた状態であり、上面の箱上表面１８は底面２と平行でその真裏に当り、中央に、収容物がティッシュである箱１ならその取出口１９があるが、その面上には業者が商品名１７、１７′を効果的に印刷してある。【００１４】              図１（ｂ）での箱１の手前側の側面には、その右側半分以上位に９個の色駒裏面３６の色駒裏面群２１が印刷してあり、その個々の色駒裏面の周囲の輪郭線には両手指では容易に箱１から個々が分離できるような切り込みがなされてあるが、その外側の色駒裏面群外枠２２の右上部には、色駒裏面群説明部２０があるが、その色駒裏面群外枠２２の直上側部と直下側部にはその説明文２３、２３′が印刷してある。【００１５】              図１（ｂ）の箱１の手前側の側面の左半分近く位には、当該外装の箱１を最小４個又は９個購入した者が、その箱１に印刷してある図１（ａ）図の３ゲーム方眼盤１１を４枚接続して６ゲーム盤２６を作成できることと、同じく９個購入して９枚の接続では９ゲーム盤２４が構成できる見本が提示してあり、前者の直上部には、例えば、９ゲーム説明文２５が印刷してあり、同じく直下部には６ゲーム説明文２７が印刷してある。【００��６】しかしながら、前項「００１５」での３ゲーム方眼盤１１を４枚で６ゲーム盤２６を作成する場合には、６の平方根が整数でないので、３ゲーム方眼盤の外枠線３２の太線や中太線を「６ゲーム盤」２６のように書き直さなくてはならない。【００１７】図１（ｂ）の色駒裏面群２１のそれぞれの色駒裏面３６には、ｎ競技だけではなく、将棋や囲碁の５目並べやチェス等の競技ができるように、それぞれの色駒裏面３６の面上には、１例として、色駒裏面３６の上側に将棋用駒名３４が記載されてあり、同様に、その中央部にはチェス用駒名３７が、その下部にはチェス用駒邦語名３８が記載されてあり、中央には碁石用白黒円３５が記載されてあっての、多種ゲームが楽しめるようにしてあり、これらは、チェス用駒名３７の周囲の点線の外側部分に色駒４０の９ゲーム用色駒色３３と一致する色がそれぞれに印刷してあるので、両者の同じ色同士の裏面を張り合わせるようにして使用するか、色駒台３１を適当に用いてその両面に貼るかする。【００１８】              図１（ａ）、（ｂ）の両者の左端側面の縦側面貼付面６や、両図面には隠れて見えない同様な右端面との小さな両側面には、本考案の図面ではｎ競技盤のｎ数を最大９としてあるが、時には、この外装の箱１の購入者の中の、ｎより大きな整数Ｎを使用のＮ競技盤に拡大して楽しもうとする人たちのために、色駒４０と合同な正方形の駒形を、駒形線３９で区切ったようにこの白生地面上に、縦横の切断線を印刷し、かつ、両手指で容易に分離できるように切り込み線を入れて置く事で、購入したそのような上級競技志向者が自発的にか切り離し、（Ｎ２−ｎ２）個の補充駒分を作成し、不足の、ｎ競技盤付属のｎ種の色駒を（Ｎ−ｎ）個ずつ余分に集めると共に、その他の余分の新規の駒の色種（Ｎ−ｎ）種をＮ個分ずつを得るように、当該箱を購入する結果として、当該購入者がｎ種の他の色種を決めて新規色種を塗り自作し、かつ、Ｎ競技盤に増設することで、Ｎゲームが楽しめるように、余分な駒型線３９が、充分な位に印刷してあり、これらの駒型線３９に沿っての切り込みが購入時にサービスとして入れてある場合もあるが、そうでない場合には、それらは色駒台３１に利用できるようにもしてある。【００１９】              同様に、箱１外面か同内面かに、上の競技盤の簡単な利用法と、連続購入によってｎ競技盤やＮ競技盤に成長させ得ること等の説明書きや図面等を明確に記載し、かつ、計画的な発売期間等をも、必要であれば記載しておく場合もある。【００２０】              最後に、色駒使用の本来の既成のｎ競技盤と、手作りでつなぎ合わせて構成した競技盤とを持ち寄り、上記の販売外装箱１の製作・販売会社による色駒数ｎ２を用いたナッピーゲーム大会に購入者らを招聘し参加させての、そこでの、最高位平和地球創設者には、何かの特典を与えられるようにする場合も、知名度向上目的で考えられる。
【産業上の利用可能性】
【００２１】              上述したように、販売外装箱類の面上に、本考案のｎ競技盤の主として３ゲームで構成の、３ゲーム方眼盤１１とその単数又は複数の色駒等との１式を印刷した箱類の形状を実施することで、当該箱製作生産販売会社の売り上げの格段の増加は目に見えて想像するに余りがあるから、産業上の利用の可能性は、絶大である、と断言できる。
【図面の簡単な説明】
【００２２】
【図１】                  本考案の、９ゲームの特定区画単位３ゲーム方眼盤と色駒９個との分離構成前の状況を印刷した販売商品の紙製の外装箱の底面側を上面にした鳥瞰図（ａ）と箱表面側を上面にした鳥瞰図（ｂ）
【図２】                  図１の販売商品の紙製の外装箱の側面部に印刷の色駒９色面部外枠内の９色駒群と色駒説明部の一括部分（ｃ）と、同前側面部と対の側面部の色駒裏面群と同裏面説明部の一括部分（ｄ）とを簡略化して示した平面図
【図３】                  色駒と色駒裏面とを両面に貼付するための色駒台
【図４】分離独立拡大させた図１（ａ）の色駒９種群の各個（ａ）と、図１（ｂ）の色駒裏面９種群の各個（ｂ）の１例の分離拡大した平面図
【図５】                  図１（ａ）の色駒の９種を幼児向けの組み合わせにした場合の１例の各個を分離拡大して示した３通りのそれぞれを、別個の箱に印刷する３例をを示した拡大図の色番号１〜３の３組の（ａ）、同４〜６の（ｂ）、同７〜９の（ｃ）
【符号の説明】
【００２３】１．  箱
２．  底面
３．  商品名
４．  製造所発売元名等
５．  バーコード
６．  縦側面貼付面
７．  商品名
８．  キャッチフレーズ
９．  糊付部端部
１０．  ３ゲーム説明文
１１．  ３ゲーム方眼盤
１２．  ３ゲーム説明文
１３．  色駒説明文
１３′．  色駒説明文
１４．（色駒９色面部）外枠
１５．  色駒説明部
１６．  色番号
１７．  商品名
１７′．  商品名
１８．  箱上表面
１９．  取出口
２０．  色駒裏面群説明部
２１．  色駒裏面群
２２．  色駒裏面群外枠
２３．  説明文
２３′．  説明文
２４．  ９ゲーム盤
２５．  ９ゲーム盤説明文
２６．  ６ゲーム盤
２７．  ６ゲーム盤説明文
３１．  色駒台
３２．  ３ゲーム方眼盤外枠
３３．  ９ゲーム用色駒色
３４．  将棋用駒名
３５．  碁石用白黒円
３６．  色駒裏面
３７．  チェス用駒名
３８．  チェス用駒邦語名
３９．  駒型線
４０．色駒
（注）輪郭等に入れた切り込み線は通常では見えないので図中には示してない。
【手続補正３】
【補正対象書類名】図面
【補正対象項目名】全図
【補正方法】変更
【補正の内容】
【図１】
0003130210.tif 000009
【図２】
0003130210.tif 000010
【図３】
0003130210.tif 000011
【図４】
0003130210.tif 000012
【図５】
0003130210.tif 000013